(57)【要約】【課題】頭髪を良好な状態でカーリングしたり、ストレートヘアになるよう処理する作業の作業性を向上させることができ、しかも活性化エアにより痛んだ頭髪を確実に回復させ得るヘアアイロンを提供することを目的とする。【解決手段】軸を中心に互いに回動可能に連結された１対の把持アームを有し、軸を挟んで把持アームの先端側の対向面にそれぞれ頭髪押圧部が設けられたヘアアイロンにおいて、上記頭髪押圧部の少なくとも一方に、その長さ方向に沿って通気溝を設けるとともに、頭髪押圧部に設けた上記ヘアノズルにヘアを処理する流体を送り込む供給手段と蒸気を逃がす通気溝もしくは通気孔を、上記頭髪押圧部に付設したことを特徴とするヘアアイロン。【選択図】    図３
2004358085.tif 000002
【特許請求の範囲】
【請求項１】
軸を中心に互いに回動可能に連結された１対の把持アームを有し、軸を挟んで把持アームの先端側の対向面にそれぞれ頭髪押圧部が設けられたヘアアイロンにおいて、上記頭髪押圧部の少なくとも一方に、その長さ方向に沿ってエアノズルを設けるとともに、頭髪押圧部に設けた上記エアノズルにヘアを処理する流体を送り込む供給手段を、上記頭髪押圧部に付設したことを特徴とするヘアアイロン。
【請求項２】
ヘアを処理する流体が、イオン化作用および／または磁気作用を受けたエアである請求項１に記載のヘアアイロン。
【請求項３】
１対の頭髪押圧部が、一方を凸状断面にまた他方を凹状断面に形成してあり、かつ上記通気溝を凹状断面に形成した頭髪押圧部に設けている請求項１に記載のヘアアイロン。
【請求項４】
頭髪押圧部が、その間を通過する頭髪を加熱するためのヒータを内蔵している請求項１に記載のヘアアイロン。
【発明の詳細な説明】
【０００１】
【発明の属する技術分野】この発明は、互いに回動可能に設けられたロッドとグローブを有し、頭髪を挟持・加熱することによってストレートパーマやカーリングを施すために使用されるヘアアイロンに関する。
【０００２】
【従来の技術】従来この種のヘアアイロンは、一般的にニクロム線等の熱源が内蔵された円柱形状の金属からなる熱伝導性のロッドと、このロッドに回動可能に設けられ、ロッドの外周面の一部を覆う形状の金属からなるグローブとによってはさみ形式に形状されている。
【０００３】このヘアアイロンは、上記ロッドとグローブ間で頭髪の先端側を挟み、この状態でロッド及びグローブを所定回数回転させ、ロッドの回りに頭髪を巻き付ける。そして、この状態で熱源に電流を流してロッドの外周面全域を所定温度まで昇温させ、頭髪を所定時間加熱した後に、ロッドとグローブによる頭髪の挟持状態を解きながら、ロッド及びグローブを頭髪から抜き取る。これにより、頭髪がカーリングされる。このようなヘアアイロンとして、特開平１１−３１８５４２号公報（特許文献１参照）に示されたものがあり、これはグローブ側に熱源を設け、ロッド表面を断熱性の素材で被覆することにより、頭髪にカーリングされやすい温度差を生じさせようとするものである。
【０００４】
【特許文献１】特開平１１−３１８５４２号公報
【０００５】
【発明が解決しようとする課題】しかしながら、従来のいずれのヘアアイロンにあっても、頭髪にカーリングしたり、ストレートヘアにしたりすることが目的であり、所定の温度に加熱することから頭髪が熱によって痛んでしまうという問題点があった。
もちろん、所定の温度に加熱して頭髪にカーリングしたり、ストレートヘアになるよう処理した後、加熱により痛んだ頭髪を回復させる各種の処理を施すことも考えられるが、頭髪はすでに痛んでしまっていてあまり効果のある方法とはいえなかった。
【０００６】さらに、所定の温度に加熱して頭髪にカーリングしたり、ストレートヘアになるよう処理した後、加熱により痛んだ頭髪を回復させる各種の処理を施すという２段階の処理を行なうため、結果として頭髪の処理に長時間を要することになる。
【０００７】この発明のヘアアイロンはこのような事情に鑑みてなされたもので、頭髪を良好な状態でカーリングしたり、ストレートヘアになるよう処理する作業の作業性を向上させることができ、しかもイオン化作用および／または磁気作用を受けたエア、いわゆる活性化エアにより、痛んだ頭髪を確実に回復させ得るヘアアイロンを提供することにある。
【０００８】
【課題を解決するための手段】従来例の以上の欠点を解消するため、この発明のヘアアイロンは、軸を中心に互いに回動可能に連結された１対の把持アームを有し、軸を挟んで把持アームの先端側の対向面にそれぞれ頭髪押圧部が設けられたヘアアイロンにおいて、上記頭髪押圧部の少なくとも一方に、その長さ方向に沿ってエアノズルを設けるとともに、頭髪押圧部に設けた上記エアノズルにヘアを処理する流体を送り込む供給手段を、上記頭髪押圧部に付設したことを特徴とするものである。
【０００９】この発明のヘアアイロンは、上記ヘアを処理する流体が、イオン化作用および／または磁気作用を受けたエア、いわゆる活性化エアであることをも特徴としている。
【００１０】この発明のヘアアイロンは、上記１対の頭髪押圧部が、一方を凸状断面にまた他方を凹状断面に形成してあり、かつ上記通気溝を凹状断面に形成した頭髪押圧部に設けていることをも特徴としている。
【００１１】この発明のヘアアイロンは、上記頭髪押圧部が、その間を通過する頭髪を加熱するためのヒータを内蔵していることをも特徴としている。
【００１２】この発明によれば、頭髪を良好な状態でカーリングしたり、ストレートヘアになるよう処理する作業の作業性を向上させることができ、しかも加熱により痛んだ頭髪を確実に回復させ得るヘアアイロンを提供することができるようになった。
【００１３】
【発明の実施の形態】以下、この発明のヘアアイロンの実施の形態を図面に基いて詳細に説明する。
図１ないし図４は、この発明に係るヘアアイロンの一実施例を示し、図１はその側面図、図２はその平面図、図３は図２のＡ−Ａ線断面図、図４はこの発明に係るヘアアイロンの概略説明図、図５はこの発明のヘアアイロンに適用される流体改質器の１例を示す概略断面図、図６は流体改質器に使用される磁石の極性の配列を示す概略縦断面図、図７はその概略横断面図である。
【００１４】図１ないし図４において、ヘアアイロンは、ピン等からなる軸３を中心に図１の矢印イのように互いに回動可能な１対の把持アーム１，２を有している。そして、この把持アーム１，２の先端側の対向面にそれぞれロッド部材４とグローブ部材５からなる頭髪押圧部を有している。このロッド部材４とグローブ部材５とはそれぞれ熱伝導率の高い銅板等で構成され、外側はそれぞれ外周面を円弧状とした樹脂製カバー６，７で覆われている。すなわち、ロッド部材４とグローブ部材５に設けたフック状のネジ固定部８に樹脂製カバー６，７からネジ９をねじ込むことにより、ロッド部材４とグローブ部材５と樹脂製カバー６，７とが一体化されているのである。
【００１５】先ず最初に上記ロッド部材４は、樹脂製カバー６とともに円柱状に形成され、グローブ部材５に近接して板状のセラミックヒータ１１が内蔵されている。１２はヘアアイロン１で頭髪を挟み込んだ状態において頭髪の先端側に配置した櫛、１３は上記活性化エアを図３の矢印ハに示すように、頭髪１０の毛根側に送出するブロワ等を付設したエア管で、所定の間隔で形成したエアノズル１４（図４参照）および蒸気放出用のスリットないし孔からなる通気溝３１が形成されている。
【００１６】グローブ部材５は、上記ロッド部材４を包み込むように円弧状に形成されており、その毛根側にはロッド部材４に近接してセラミックヒータ１５が内蔵されている。１６はグローブ部材５の毛根側の端部に取り付けた断熱材で、グローブ部材５の端部に設けたスリット溝１８に、断熱材１６の背面に突設した板状の係止部１７をはめ込むことにより取り付けられる。なお、セラミックヒータ１１，１５のグローブ部材５内への内蔵方法は一例であって、例えば予め成形されているセラミックヒータ１１，１５を、熱伝導性の材質からなる樹脂製カバー６，７に一体成形する等、適宜の構造を採用することもできる。
【００１７】前記セラミックヒータ１１，１５には電源コード１９が接続され、この電源コード１９はグローブ部材５に沿って、軸４から後方に所定長さ引き出されており、その先端はプラグ等を介して電源２１に接続されている。そしてプラグを、例えばＡＣ１００Ｖのコンセントに差し込むことにより、セラミックヒータ１１，１５に予め設定された所定の電流が通電されて、セラミックヒータ１１，１５が昇温し、このセラミックヒータ１１，１５の熱がそれぞれ熱伝導率の高い銅板等で構成されたロッド部材４とグローブ部材５とに伝熱されて頭髪１０が所定の温度に加温される。
【００１８】この発明のヘアアイロンにおいては、上述のように軸４を中心に互いに回動可能に連結された、ロッド部材４とグローブ部材５からなる頭髪押圧部を備えている。そして、図４に示すように、グローブ部材５の長さ方向に沿ってエアノズル１４を設けるとともに、グローブ部材５に設けた上記エアノズル１４にヘアを処理する流体を送り込む供給手段（ブロワ４０）を付設したことを特徴としている。
【００１９】この発明のヘアアイロンにおいて、上記ヘアを処理する流体は、イオン化作用および／または磁気作用を受けたエア、いわゆる活性化エアのことである。そのようなイオン化作用および／または磁気作用を受けたエアいわゆる活性化エアとしては、次のような空気改質器（エアリフォーマー）内を通過したものであることが望ましい。
【００２０】図５に示すものは空気改質器（エアリフォーマー）４０であって、筒状容器をなす流体改質器本体４１のハニカムフィルター４２で仕切られる部屋内には、乱流生成部材４３が収められている。このような乱流生成部材４３の例としてはセラミックボールやサンゴ化石、シリカブラック、医王石、麦飯石等の単独または混合物よりなる鉱石類、イオン交換樹脂等の混合物があり、望ましくはセラミックボールをその上部に配置し、その下部に鉱石類とイオン交換樹脂等の混合物を配置するものである。
【００２１】この発明においてエアＡは必ず仕切壁であるハニカムフィルター４２を通り抜けることになるが、その壁面は無数の小さな三角形の集合として形成されるから、あらゆる明瞭な図形のうちで最もその中央部を素通りするより周辺部に接触する機会が多く、しかも粒状体を逸脱させることなく保持する機能にすぐれ、さらに三角形を集合させると、別の三角形、五角形、六角形、六芒星等、甚だ多種類のいわゆるパワー図形を形成させることになる。
【００２２】したがって通過したエアＡは、ハニカムフィルター４２の材質自体のもつ有害物質の吸着機能や有用物質の放出機能を最大限に享受することができると同時に、図形によって左右される宇宙エネルギー（その存在事実はもはや疑う余地がない程のデータの集積がある）を取入れるのにはなはだ適した経路を経ることになる。しかもかかるハニカムフィルター４２は、そのコアより大きい粒状の乱流生成部材４３をよく保持する割にはエアＡの通過を妨げる抵抗が少ないから、効率よく大量のエアＡを処理できるとともに、それによって保持された乱流生成部材４３の乱流を勢いよく生成させるにも好適である。
【００２３】上記空気改質器（エアリフォーマー）４０は、エアＡの導入口４４とハニカムフィルター４２との間に形成されたエアＡの通路４５の外周に磁性材料からなる管状部材４６を配置し、さらにその外周上に磁場のニュートラルゾーンを形成する磁石４７を設置したものである。また４８はコントローラを内蔵したファンで、ヘアアイロンの作動に応じて、あるいはその他適宜の条件でＯＮ−ＯＦＦされるようになっている。
【００２４】上記磁場のニュートラルゾーンを形成する磁石４７は、図６および図７に示す構造を備えている。
すなわち、磁石４７を平面から見た図６において磁石４７は管状部材４６の周囲に複数、特に４個以上の偶数個が等間隔で配置されている。各磁石４７は隣接する磁石４７が交互にＳ極とＮ極となるよう配置されていて、その磁束が磁石４７の内側及び外側にＮ極からＳ極に整然と延びている。
また磁石４７の断面を見る図７において、磁石４７は管状部材４６の上下にも交互にＳ極とＮ極がくるよう配置されていて、その磁束はやはり磁石４７の内側及び外側にＮ極からＳ極に整然と延びている。
【００２５】上記のように配置した磁石４７により得られる磁場のニュートラルゾーンがエアＡに対して原子あるいは分子レベルでどのような影響を及ぼすのかは詳らかではないが、すでに燃料改質装置等において実用に供されていることろから、その効果を充分に推測することが可能である。
【００２６】また、この発明のヘアアイロンは、上記ロッド部材４とグローブ部材５からなる１対の頭髪押圧部が、一方のロッド部材４を凸状断面に、また他方のグローブ部材５を凹状断面に形成してあり、かつ上記通気溝３１を凹状断面に形成したグローブ部材５側に設けている。
【００２７】これにより、頭髪を良好な状態でカーリングしたり、ストレートヘアになるよう処理する作業の作業性を向上させることができ、しかも加熱により痛められる頭髪を、痛みを少なくしたり解消するか、あるいは確実に回復させ得るヘアアイロンを提供することができるようになった。
【００２８】次に、上記ヘアアイロン１の使用方法の一例を説明する。ロッド部材４とグローブ部材５で頭髪１０を挟持した状態で、ヘアアイロン１を図３の矢印ニの方向に負荷をかけながら、矢印ロ方向に軽く引っ張って移動させると、頭髪１０の加熱部分Ｋ１が頭髪１０の長手方向に沿い、かつ先端側１０ｂ側に向かって徐々に移動する。この移動時に、グローブ部材５によって加熱された頭髪１０の加熱部分Ｋ１が徐々に冷却されつつ移動することになり、頭髪１０の長手方向において、加熱状態及び加熱状態の解除に時間差（すなわち温度差）が生じることになる。
【００２９】この頭髪１０の長手方向の温度差と、頭髪１０のグローブ部材５側とロッド部材４側との温度差によって、頭髪１０に巻き癖が付与され、頭髪１０がロッド部材４とグローブ部材５間から抜け出た際に、頭髪１０がカーリングされる。すなわち、この発明によるヘアアイロン１は、頭髪１０の毛根側を挟み、頭髪１０の先端側方向に単に移動させるだけで、頭髪１０にカーリングに必要な温度差を効果的に付与させることができ、良好な状態のカーリングがスムーズに得られることになる。
【００３０】またこの発明のヘアアイロン１によれば、グローブ部材５の長さ方向に沿って蒸気を逃がす通気溝３１を設けるとともに、ロッド部材４に設けたエアノズル１４にヘアを処理する流体を送り込む供給手段をヘアアイロン１に付設している。したがって、イオン化作用および／または磁気作用を受けたエア、いわゆる活性化エアを、この供給手段を介してエアノズル１４から送り出すと、加熱により痛められる頭髪の痛みを少なくしたり、解消するか、あるいは確実に回復させることができるようになるのである。上記エアノズル１４に上記いわゆる活性化エアを送り込む供給手段としては、ブロワ４０あるいはブロワと同様のものを使用することができる。
【００３１】
【発明の効果】この発明によれば、頭髪を良好な状態でカーリングしたり、ストレートヘアになるよう処理する作業の作業性を向上させることができ、しかも、活性化エアにより痛んだ頭髪を確実に回復させ得るヘアアイロンを提供することができるようになった。
【図面の簡単な説明】
【図１】この発明に係るヘアアイロンの一実施例を示す側面図である。
【図２】その平面図である。
【図３】図２のＡ−Ａ線断面図である。
【図４】この発明に係るヘアアイロンの概略説明図である。
【図５】この発明のヘアアイロンに適用される流体改質器の１例を示す概略断面図である。
【図６】流体改質器に使用される磁石の極性の配列を示す概略縦断面図である。
【図７】その概略横断面図である。
【符号の説明】
１，２  把持アーム
３  軸
４  ロッド部材
５  グローブ部材
６，７  樹脂製カバー
８  ネジ固定部
９  ネジ
１０  頭髪
１１  セラミックヒータ
１２  櫛
１３  エア管
１４  エアノズル
１５  セラミックヒータ
１６  断熱材
１７  係止部
１８  スリット溝
１９  電源コード
２１  電源
３１  通気溝
４０  空気改質器（エアリフォーマー）
４１  流体改質器本体
４２  ハニカムフィルター
４３  乱流生成部材
４４  導入口
４５  通路
４６  管状部材
４７  磁石
４８  ファン
Ａ  エア
Ｋ１  加熱部分
【図１】
2004358085.tif 000003
【図２】
2004358085.tif 000004
【図３】
2004358085.tif 000005
【図４】
2004358085.tif 000006
【図５】
2004358085.tif 000007
【図６】
2004358085.tif 000008
【図７】
2004358085.tif 000009